(57)【特許請求の範囲】
【請求項１】
ネット素材を重ねて結束した頂部にリングを配置して底部を開口したスカート形の本体部を有する泡立てネットであって、前記本体部が頂部側に形成した三重のネットからなる泡立て部とその底方に形成した二重のネットからなる泡の搾り出し部とからなり、前記泡の搾り出し部は筒形のネット素材を一端から内外を反転させつつ折り返して形成した折り返し部を底部とする二重のネットにより形成されているとともに前記泡立て部が前記泡の搾り出し部を形成する二重のネットと前記二重のネットの頂部において前記二重のネットの間に挟まれて配置されている一重のネットからなる筒状のもう１つのネット素材により形成されていることを特徴とする泡立てネット。
【請求項２】
前記泡立て部を形成するネット素材と前記泡の絞り出し部を形成するもう１つのネット素材が同一の一重のネット素材を折り返して形成されていることを特徴とする請求項１記載の泡立てネット。
【発明の詳細な説明】
【技術分野】
【０００１】
本発明は、石鹸や洗顔料などを泡立てるために用いられる泡立てネットに関するものである。
【背景技術】
【０００２】
従来から、石鹸、液体や固形などの洗顔料を使用してメーク落としや洗顔をするときにきめ細かくシルキーに泡立たせることができる泡立てネットが知られており、例えば特開平１０−２７６９２８号公報（特許文献１）に提示されている。この泡立てネットは、縦横それぞれ数ミリ程度の細かい編み目を有し、ポリエチレンを原料とした筒状の一体成型プラスチックネットの上下端をそれぞれ一まとめにして固定した端縁部を内方へ折り返し、筒状のネットの端末が一点から放射状に拡がったようなスカート形となし、かつ、その一端に指差し込み用のリングを取り付けたものである。
【０００３】
ところが、前記特許文献１に開示されている泡立てネットは、泡を前記リング側から底部に搾り出されて掌で受けて使用するものであるが、ネットが一重であることから泡立ちが十分でなかった。
【０００４】
そこで、その後、ネットを多重にした泡立ちネットが多数提案され、例えば特開２００９−６１１２９号公報（特許文献２）に、細い合成繊維フィラメント糸を材料として筒状に編成された本体ネットと、合成樹脂を材料として一体成形により筒状に周方向が伸縮自在に作られた補強用ネットからなり、長さ方向中間部で折り返して２重構造となった本体ネットで補強用ネットを包んだ状態で本体ネットの遊端部側開口部に吊り紐の団子状の結び部が位置するように吊り紐を２重構造の本体ネット内に差し込み、本体ネットの遊端部側開口部を絞るように閉じて、吊り紐を本体ネットの折り返し端部側から引っ張り、本体ネットで補強用ネットを包んだ状態で全体を裏返してなるものが提示されている。
【０００５】
しかしながら、前記特許文献２に記載されている泡立てネットは全体が三重に形成されているので泡立ちに優れている反面、形成した泡を搾り出すことが困難であるという問題がある。
【０００６】
また、特開２０１１−１９８４０号公報（特許文献３）にきめ細やかな泡を泡立てることができ、泡立てた泡のしぼり取りを容易とすることで、使い勝手がよい泡立てネットが提示されているが、石鹸の収納空間が設けられ、前記石鹸を出し入れする開口が形成されたポケット部と、前記開口の縁部から一部が延設され、前記ポケット部に収納された石鹸側に折り返して擦り合わせて泡立てる泡立て部とを備えたものであり、全長が長くなって使用しづらいとともに、長尺状のネットシート材の一端を一面側に折り返し、前記ネットシート材の他端を、少なくとも一面側での折り返しと重なりができるまで他面側に折り返し、前記一面側での折り返し部分と前記一面側での折り返しと重なる前記他面側での折り返し部分とを溶着し、前記一面側での折り返し部分を表裏反転させるものであって、溶着手段を必要とするなど製造も容易でない。
【先行技術文献】
【特許文献】
【０００７】
【特許文献１】特開平１０−２７６９２８号公報
【特許文献２】特開２００９−６１１２９号公報
【特許文献３】特開２０１１−１９８４０号公報
【発明の概要】
【発明が解決しようとする課題】
【０００８】
本発明は、上記のような問題を解決しようとするものであり、全体の形状は従来のものと変わりなく使い勝手がよく、泡立ちが良好であるばかりでなく形成した泡を搾り取り易く、また、製造も簡単な泡立てネットを提供するものである。
【課題を解決するための手段】
【０００９】
そこで、本発明は、ネット素材を重ねて結束した頂部にリングを配置して底部を開口したスカート形の本体部を有する泡立てネットであって、前記本体部が頂部側に形成した底部を開口した泡立て部とその底方に形成した泡の搾り出し部とからなり、前記泡立て部におけるネット素材の重ね度を前記泡の搾り出し部のネット素材の重ね度よりも多くしたことを特徴とする。
【００１０】
本発明によれば、頂部側に形成したネット素材の重ね度の多い泡立て部により洗顔料などを十分に泡立て、その底方に形成した泡の搾り出し部から前記形成した泡を容易に且つ多量に搾り取る。
【００１１】
また、本発明において、前記泡立て部が前記本体部の全長の半分以下の長さに形成されている場合には全長を伸ばすことなく泡立ておよび搾り取り機能を発揮させることができる。
【００１２】
更に、前記泡立て部が三重のネットであり、前記泡の搾り出し部が二重のネットにより形成されている場合には余分な素材を必要とせずに泡立ておよび搾り取りについて最良の効果を発揮させることができる。
【００１３】
更にまた、本発明において、前記本体部が、筒形のネット素材を一端から内外を反転させつつ折り返して、他端部側に筒状を呈するもう１つのネット素材を差し込み、前記他端部に重ねた前記筒形のネット素材の両遊端と前記もう１つのネット素材の一端を重ねてその中心位置に前記リングに通した吊り紐を配置して結束し、その結束端部を内側に反転させて前記記吊り紐を通したリングを表側に露出させるとともに底部端に開口部を形成することにより簡単に製造することができる。
【００１４】
加えて、前記 前記もう一方のネット素材が前記ネット素材の折り返し遊端の間に差し
込まれている場合には、外側および内側に含めて段差がなく、外観が美麗であるとともに使用に際して引っかかりがなく円滑な操作ができ、使用により端部が解れることもなく耐久性にも優れている。
【００１５】
本発明は、前記本体部が、筒形のネット素材を一端から内外を反転させつつ且つ所定の長さだけ他端を越える位置まで折り返し、前記他端を越えて位置する一端を前記他端の外側に配置されるように内外を反転させつつ内側に折り返し、その中心位置に前記リングに通した吊り紐を配置して結束し、その結束端部を内側に反転させて前記記吊り紐を通したリングを表側に露出させるとともに底部端に開口部を形成することにより１つの筒形のネット素材により形成することもできる。
【発明の効果】
【００１６】
本発明によれば、従来と同様なスカート形の泡立てネットにおいて、全長を延長することなしに且つ外観も美麗な状態で、十分な泡立てと容易且つ確実に泡を搾り取ることができる。また、製造も容易で耐久性にも優れている。
【図面の簡単な説明】
【００１７】
【図１】本発明における好ましい実施の形態を示す正面図である。
【図２】本発明である泡ネットを製造するための好ましい実施の形態についての構成部品を示す説明図である。
【図３】図２に示した実施の形態についての製造行程を示す説明図である。
【図４】図２に示した実施の形態についての製造行程を示す説明図である。
【図５】図２に示した実施の形態についての製造行程を示す説明図である。
【図６】本発明である泡ネットを製造するための異なる実施の形態についての構成部品を示す説明図である。
【図７】図６（ｃ）のＡ−Ａ線に沿う拡大断面図である。
【図８】図６に示した実施の形態についての製造行程を示す説明図である。
【図９】図６に示した実施の形態についての製造行程を示す説明図である。
【発明を実施するための形態】
【００１８】
以下に、図面を参照しながら本発明を実施するための形態を説明する。
【００１９】
図１は本発明における好ましい実施の形態を示すものであり、泡立てネット１は、従来からこの種の泡立てネットに用いられている例えば一体成形のプラスチック製の微細な網目を有するネット素材を重ねて結束した頂部に例えば指掛け用のリング２を配置して底部を開口した長さが１５ｃｍ、底辺の長さが１５ｃｍ程度のスカート形の本体部３を有し、本体部３が頂部側に形成した底部を開口した泡立て部４とその底方に形成した泡の搾り出し部５とからなり、泡立て部４におけるネット素材の重ね度が三重であり、泡の搾り出し部５のネット素材の重ね度が二重に形成されている。尚、前記ネット素材は一方向に伸縮可能なものであり、前記本体部３の幅方向が伸縮方向になるようにして使用する。
【００２０】
また、本実施の形態では前記泡立て部４の長さＬ１が例えば７ｃｍ程度で、本体部３の全長Ｌ２である１５ｃｍの半分よりも短く形成されている。
【００２１】
図２乃至図５は本発明である泡立てネットについての実施の形態の一例における製造行程を示すものであり、製造する際に使用する部品としては図２に示したように、口径が１５ｃｍ程度で長さが３０ｃｍ程度の筒体のネット素材３１と、口径が１５ｃｍ程度で長さが７ｃｍ程度の筒体のネット素材４１と、例えば硬質の合成樹脂製のリング２、前記リング２を固定するための吊り紐２１と、例えば合成樹脂製の結束具６とから構成される。
【００２２】
そして、これらの部品を用いて本実施の形態を製造するには、まず、図３に示すように、長尺の筒状のネット素材３１を一端から内外を反転させつつ折り返し、その両遊端３１１，３１２の間に形成される空所にもう一つの短尺の筒状を呈するネット素材４１を差し込み、図４に示すように、前記他端部に重ねた前記筒形のネット素材３１の両遊端３１１，３１２と前記もう１つのネット素材４１の一端を重ねてその中心位置に前記リング２に通した吊り紐２１を配置して結束具６により結束する。
【００２３】
次に、底部開口から前記結束端部を内側に反転させて吊り紐２１を通したリング２を表側に露出させるとともに底部端に開口部を形成して図１に示した本実施の形態が製造される。
【００２４】
本実施の形態を使用するには、従来と同様にリング２の部分を指に掛けて、手のひらに位置する泡立て部４に石鹸や洗顔料などを付け、必要なら水を添加して揉むことにより泡立てる。このとき、本実施の形態では泡立て部４は二重の筒状のネット素材３１ともう１つのネット素材４１の三重の筒体が重なった総数６重のネット素材３１，ネット素材４１により形成されるので従来の三重の筒体により形成された泡立てネットと同様な泡立て効果を発揮して十分な量の微細な泡を形成することができる。
【００２５】
そして、次に、前記泡立て部４において形成した泡を泡立て部４の底部方向に連続して形成されている泡の搾り部５に移動させて搾り取り、洗顔などに用いる。
【００２６】
このとき、本実施の形態では泡の搾り部５は、筒状のネット素材３１を折り返して二重とした筒体により形成されているので泡立て部４から移動させた泡を容易に且つ確実に搾り取ることができる。特に、本実施の形態では泡の搾り部５は、本体部３を手の平に装着したときに手のひらの下方に突出した状態に配置されるのでもう一方の手で泡の搾り部５を確実に掴んで扱くことが可能であり、使い勝手に優れている。
【００２７】
更に、本実施の形態では、本体部３の半分以上がネット素材３１の重ね度が低い泡の搾り部５であることから、使用後に付着している泡を洗い流すときにも少ない水量で且つ短時間に洗い流すこともできる。
【００２８】
加えて本実施の形態では、もう一方のネット素材４１がネット素材３１の折り返し遊端３１１と３１２の間に差し込まれているので、ネット素材４１が外側に露出することがなく美麗であるばかりか泡立てや搾り取りの際に邪魔になることもなく、使用による劣化を生じることがない。
【００２９】
図６乃至図９は本発明である泡立てネットについての実施の形態の異なる製造行程を示すものであり、図６（ａ）に示すように、前記図２乃至５に示した実施の形態と異なり、例えば口径が１５ｃｍ程度で長さが４５ｃｍ程度の筒体のネット素材３２と、例えば硬質の合成樹脂製のリング２、前記リング２を固定するための吊り紐２１と、例えば合成樹脂製の結束具６とから構成される。
【００３０】
そして、図６（ｂ）に示すように、前記筒形のネット素材３２を一端３２１から内外を反転させつつ且つ所定の長さＬ３（１５ｃｍ）だけ他端３２２を越える位置まで折り返し、次に、図６（ｃ）および図７に示すように、前記他端３２２を越えて位置する一端３２１を前記他端３２２の外側に配置されるように内外を反転させつつ内側に折り返す。
【００３１】
そして、前記図２乃至５に示した実施の形態と同様に、図８に示すように前記所定の手段により折り返したネット素材３２の中心位置にリング２に通した吊り紐２１を配置して図９に示すように結束具６により結束し、その結束端部を図内側に反転させて前記記吊り紐を通したリングを表側に露出させるとともに底部端に開口部を形成することにより図１に示したスカート形の泡立てネット１が形成される。
【００３２】
本実施の形態は前記図２乃至５に示した実施の形態と同様の使用方法により使用するものであり、前記図２乃至５に示した実施の形態と同様の作用・効果を奏することはいうまでもなく、加えて、製作に際して１つの筒形のネット素材３を折り込んで形成できるので簡単に製造することができ、特に、一端３２１から内外を反転させつつ折り返した端部を他端３２２の外側に配置されるように内外を反転させつつ内側に折り返すので、折り返して形成した一端３２１が三重に形成される外側と内側の間に挟まれて位置するので外観が美麗であるばかりか一体性が増すとともに使用時に差し込んだ筒形のネット素材３の一端３２１が解れ難いという利点を有している。
【符号の説明】
【００３３】
１  泡立て具、２  リング、３  本体部、４  泡立て部、５  搾り部、６  結束具、２１
吊り紐、３１  ネット素材、４１  ネット素材、３１１，３１２  遊端、３２１  一端、３２２  他端
【図１】
0005851101.tif 000002
【図２】
0005851101.tif 000003
【図３】
0005851101.tif 000004
【図４】
0005851101.tif 000005
【図５】
0005851101.tif 000006
【図６】
0005851101.tif 000007
【図７】
0005851101.tif 000008
【図８】
0005851101.tif 000009
【図９】
0005851101.tif 000010